(57)【要約】【課題】ゴルフ等の練習において、音に神経を集中しすぎる弊害を防ぎ、リズムを視覚的に知らせることのできる装置を提供すること。【解決手段】本発明にかかるリズム発光装置は、リズム信号を発生するリズム発生手段と、リズム信号に基づいて発光する発光手段と、リズム発光装置に電力を供給する電源手段と、前記発光手段からの光を所定の方向にのみ照射する方向性照射手段を備えている。ゴルフのスイングの練習においては、前記発光手段からの光をゴルフボールに照射する。【選択図】図１
2011021982.tif 000002
【特許請求の範囲】
【請求項１】
リズム信号を発生するリズム発生手段と、
リズム信号に基づいて発光する発光手段と、
リズム発光装置に電力を供給する電源手段と、
を備えたことを特徴とするリズム発光装置。
【請求項２】
前記発光手段からの光を、所定の方向にのみ照射する方向性照射手段を備えたことを特徴とする請求項１に記載のリズム発光装置。
【請求項３】
前記方向性照射手段は、光の照射方向を調整する照射方向調整機構を備えたことを特徴とする請求項１、２の何れか１項に記載のリズム発光装置。
【請求項４】
前記リズム発生手段におけるテンポを緩急調整するテンポ調整手段を備えたことを特徴とする請求項１乃至３の何れか１項に記載のリズム発光装置。
【請求項５】
前記リズム発生手段における拍子を設定する拍子設定手段を備えたことを特徴とする請求項１乃至４の何れか１項に記載のリズム発光装置。
【請求項６】
リズム信号に基づいて音出力を発生する発音手段を備えたことを特徴とする請求項１乃至５の何れか１項に記載のリズム発光装置。
【請求項７】
リズム信号に基づいて振動を発生する振動発生手段を備えたことを特徴とする請求項１乃至６の何れか１項に記載のリズム発光装置。
【発明の詳細な説明】
【技術分野】
【０００１】
本発明は、スポーツや音楽の練習等において、種々のリズムのタイミングを光で知らせることができる装置に関するものである。
【背景技術】
【０００２】
従来、例えばゴルフの練習において、スイングする場合に、アドレス〜トップスイング〜インパクト〜フォローまでの動作が、所定のリズムに乗っていることが重要であると言われている。そのため、手本となるリズムを音で知らせる装置が知られている。なかでも、リズム音が他人に迷惑になることを防止するために、イヤフォン式の装置が特許文献１等で提案されている。
特許文献１で提案されたリズム発生装置は、他人に対する干渉を起こすことなく個人技の動作のリズムを調整することができるように構成された個人用のリズム発生装置であり、耳孔に挿着できるケース内に、リズム信号音発生手段と、該リズム信号音の間隔を変化させるための調節手段と、前記リズム信号音発生手段駆動用の電源手段とを備えてなるものである。
【先行技術文献】
【特許文献】
【０００３】
【特許文献１】特開平７−２８０９６５
【発明の概要】
【発明が解決しようとする課題】
【０００４】
特許文献１に記載されたリズム発生装置は、確かにゴルフのスイング動作に対応したタイミングでリズム音を発生させ、周囲の他人に迷惑をかけることなく聞くことが可能であるが、イヤフォンでは聞きにくいという問題や、スイング動作でイヤフォンが耳から外れて落としてしまう可能性がある等の種々の問題があった。
例えば、スイング動作がリズム音と完全に一致するように意識するあまり、少しでもずれてしまうと、思い通りのスイングができないとして、スランプに陥ってしまうイップスと呼ばれる運動障害も知られている。
【０００５】
ゴルフのスイングにおいては、リズムも重要であるが、インパクトの瞬間までボールから視線を外さないという点も重要であるにも関わらず、上述したように、音に集中する余り、肝心の視線がボールに集中できずにヘッドアップしてしまうという問題がある。
本発明は、音に神経を集中しすぎる弊害を防ぎ、リズムを視覚的に知らせることのできる装置を提供することを目的としてなされたものである。
【課題を解決するための手段】
【０００６】
本発明の請求項１にかかるリズム発光装置は、リズム信号を発生するリズム発生手段と、リズム信号に基づいて発光する発光手段と、リズム発光装置に電力を供給する電源手段とを備えたことを特徴としている。
請求項２では、
前記発光手段からの光を、所定の方向にのみ照射する方向性照射手段を備えている。
請求項３では、
前記方向性照射手段は、光の照射方向を調整する照射方向調整機構を備えている。
請求項４では、さらに、リズム発生手段におけるテンポを緩急調整するテンポ調整手段を備えている。
請求項５では、さらに、リズム発生手段における拍子を設定する拍子設定手段を備えている。
請求項６では、さらに、リズム信号に基づいて音出力を発生する発音手段を備えている。
請求項７では、さらに、リズム信号に基づいて振動を発生する振動発生手段を備えている。
【発明の効果】
【０００７】
本発明に係る請求項１のリズム発光装置によれば、
リズム信号を発生させて、そのリズム信号に基づいて発光手段を発光させるので、従来のリズム発光装置のように、聴覚に神経を集中させなくても、視覚的に適正なリズムを知ることができる。よって、周囲に悪影響を与える音を出すこともなく、また、周囲の音の影響を受けることもないので、スポーツや音楽等の練習において優れた練習効果が得られる。
また、請求項４では、発光手段からの光を、所定の方向にのみ照射する方向性照射手段を備えているので、効果的な方向のみに照射することができるので、周囲に迷惑を及ぼさない。
また、請求項３では、光の照射方向を調整する照射方向調整機構を備えているので、状況に応じて適切な方向に照射することができる。
また、さらに、テンポ調整手段や拍子設定手段を備えることにより、習熟程度や難易度合いに応じたリズムで練習することができる。
また、さらに、従来のようなリズム音を発生するようにしてもよい。
また、さらに、リズム信号に基づいて振動を発生することにより、ポケット等に入れておくことで、周囲へ光や音のような影響を与えることなく、自分だけが感知できる振動でリズムを知ることができる。
【図面の簡単な説明】
【０００８】
【図１】図１はリズム発光装置の全体斜視図である。
【図２】図１のリズム発光装置の側面図である。
【図３】図１のリズム発光装置のブロック図である。
【図４】図１のリズム発光装置の使用状態を説明するための側面図である。
【図５】実施例２のリズム発光装置のブロック図である。
【発明を実施するための形態】
【０００９】
本発明に係るリズム発光装置を実施するための形態を、図１、２に示したリズム発光装置１を参照して説明する。
リズム発光装置１は、リズム信号を発生するリズム発生手段11と、リズム信号に基づいて発光する発光手段12と、当該リズム発光装置１に電力を供給する電源手段13とを備え、前記制御部11と前記電源手段13は、ケース14の内部に収納され、前記発光手段12は、ケース14に設けられた照射窓15から外部へ向けて配設されている。
前記ケース14は、開閉式のカバーを兼ねたスタンド141を備えており、本体142の表面には、リズム発生手段11におけるテンポを緩急調整するテンポ調整手段としての機能と、リズム発生手段11における拍子を設定する拍子設定手段としての機能に兼用されるアップダウンスイッチ16と、テンポ調節モードと、拍子切り換えモードに切り換えるモード切り換えスイッチ17が配設されている。
【００１０】
前記照射窓15の奥には、背面が、方向性照射手段としての反射体151で囲まれた高輝度発光ダイオード152が、その照射方向が正面外部へ向くように配設されている。高輝度発光ダイオード152と、反射体151と、照射窓15とで、発光手段12が構成されている。
また、リズム信号に基づいて音出力を発生する発音手段としてのスピーカ19と、音量調節用のボリューム20と、液晶ディスプレイ装置21を備えている。
また、電源手段13から当該リズム発光装置１に供給する電力をオンオフ切り換える電源スイッチ22を備えている。
【００１１】
前記ケース14は、図２の（Ａ）に示したように、スタンド141を開くと本体142を起立した状態で保持し、図２の（Ｂ）に示したように、スタンド141を閉じると本体142の液晶ディスプレイ装置やスイッチ等を保護するカバーとなる。
スタンド141と本体142との開閉角度は１８０度以内の任意の角度に調節可能に構成されており、前記本体142に配設された発光手段12の照射方向を所望の方向に調節するための照射方向調整機構を構成している。
【実施例１】
【００１２】
次に、実施例１に係るリズム発光装置を説明する。
実施例１のリズム発光装置の外観は、図１、２に示したものと同様であり、内部の回路のブロック図を図３に示した。
図３において、
11はワンチップマイコンで構成したリズム発生手段である。
リズム発生手段11に用いるワンチップマイコンとしては、例えば８ビット程度のRISCマイコンを採用することができる。そして、内部に、レジスタや演算ユニットに加えて、フラッシュメモリなどの記憶手段や、各種の入出力デバイスに対応できるようにプログラム可能なインターフェースや、Ａ／Ｄコンバータを備えているものが好ましい。
【００１３】
前記リズム発生手段11は、電源スイッチ22がオンされると、予め作成されて記憶手段に書き込まれたリズム発生プログラムが起動する。このリズム発生プログラムは、モード切り換えスイッチ17が押される度に、拍子切り換えモードとテンポ調節モードとに交互に切り換えられるようになっている。拍子切り換えモードのときには、液晶ディスプレイ装置21に現在の拍子が表示され、アップダウンスイッチ16を押すことによって拍子が切り換わる。テンポ調節モードのときには、液晶ディスプレイ装置21に現在のテンポが表示され、アップダウンスイッチ16を押すことによってテンポが緩急調節される。
また、前記リズム発生手段11を構成するワンチップマイコンの動作用のクロックは、内蔵する発振器を用いて生成してもよいが、外部に水晶振動子18を備えて正確なクロックを生成してもよい。このようにして生成されたクロックはリズム発生手段11におけるリズムの基準となる。
【００１４】
以上のようにして、リズム発生手段11は、指定された拍子、且つ指定されたテンポでリズムを発生させる。前記発光手段12は、発生させたリズムに応じて点滅するようにプログラムされている。
例えば、リズム発生手段11を、拍子切り換えモードにおいて３拍子に設定し、テンポ調節モードにおいて毎分75回〜90回程度の所望のテンポに設定しておくと、設定されたテンポで３拍子のリズムを発生する。発光手段12は、そのテンポで点滅して照射方向に光を照射する。このリズム光は、各拍子の最初の拍と他の拍とは異なる色の光が照射されるように構成してもよい。
【００１５】
以上のリズム発光装置１を用いてゴルフのスイングの練習を行う場合には、図４に示したように、前記リズム発光装置１を、ゴルフボールに向けて設置し、発光手段12の照射方向を前記ゴルフボールに合わせておくと、前記指定された拍子とテンポで点滅する光が前記ゴルフボールを照射するので、プレーヤは光が照射されるボールに神経を集中することができ、インパクトの瞬間までボールから目を離すことなくスイングすることができる。
本発明のリズム発光装置１によれば、プレーヤは耳からの音に気をとられることなく、光が照射されるボールに神経を集中することができ、インパクトの瞬間までボールから目を離すことなくスイングすることができるので、適正なリズムのスイングを習得することができる。
また、耳が不自由な場合でも、視覚で適正なリズムを知ることができる。
【００１６】
ゴルフの場合には、静止しているボールにリズム光を照射することで優れた練習効果が得られるが、ゴルフ以外のスポーツの場合でも、リズム光が視野に入るように設置すれば適正なリズムを知ることができるという効果が得られる。
【００１７】
スポーツに限らず、音楽の練習においてもメトロノームより優れた利用効果が得られる。メトロノームはリズム音が中心であり、機械式のメトロノームの振り子を視野の隅に入れてリズムを知ることもできるが、本発明に係るリズム発光装置１によれば、例えばピアノの鍵盤もしくは楽譜の方向に発光手段の光照射方向を設定することにより、メトロノームを視野に入れなくても適正なリズムを知ることができるので、優れた練習効果が得られる。
【００１８】
なお、本発明のリズム発光装置１によれば、上述したような発光と並行して、スピーカ19からは、リズム信号に基づいたリズム音が、ボリューム20で調節された音量で発音される。このリズム音は、各拍子の最初の拍と他の拍とは異なる音が発声されるようにプログラムされている。例えば、３拍子の場合には、最初の拍は「ピッ」という音で、続く２つの拍は「ポッ、ポッ」という音で発声させることによって、１拍目がアドレスのタイミングを示し、２拍目がトップスイングのタイミングを示し、３拍目がインパクトからフォローへのタイミングを示すことができる。
また、５拍子に設定して、１拍目でアドレス、２拍目でショット方向の確認、３拍目で再度のアドレス、４拍目でトップスイング、５拍目でインパクトからフォローへのタイミングを示すこともできる。
【００１９】
また、液晶ディスプレイ装置21では、表示された画像パターンがリズム信号に基づいて変化する。例えば、図３に示したように、液晶ディスプレイ装置21の画像パターン表示エリア211には、１つの大きなパターンP1と、７つの小さなパターンP2〜P7が配置されている。そして、３拍子の場合には、１拍目で大きなパターンP1が表示され、２拍目では２番目の小さなパターンP2が表示され、３拍目では３番目の小さなパターンP3が表示され、そのあと、１泊目に戻る前に短時間、全パターンP1〜P3が非表示状態となり、再び、１拍目で大きなパターンP1が表示されるという動作が繰り返される。
このようにして、リズムを視覚的に把握することができるので、効果的な練習が可能となる。
【実施例２】
【００２０】
次に、実施例２に係るリズム発光装置を説明する。
実施例２のリズム発光装置を、図５のブロック図を参照して説明する。
図５に示したリズム発光装置１Ｂは、図３に示した実施例１のリズム発光装置１に、さらに、リズム信号に基づいて振動を発生する振動発生手段２３を備えている。そして、前記リズム発生プログラムは、モード切り換えスイッチ17が押される度に、拍子切り換えモードとテンポ調節モードと、振動モードに交互に切り換えられるようになっている。振動モードに切り換えると、設定された拍子とテンポで、前記振動発生手段２３から振動を発生させることができる。この振動モードでは、発光手段12は点灯せず、リズム音も出力されないので、リズム発光装置１Ｂをポケット等に入れて作動させると、リズムに応じた振動、例えば「ビビッ、ビッ、ビッ」のような振動を体で感じることができる。このような振動は、光や音と異なって、周囲の他人には感知されないので、周囲に他人が居るような状態でも、設定された拍子とリズムを自分だけで感じながら練習することができる。
【００２１】
また、発光手段１２をリズム信号に応じて点滅させる点滅モード以外に連続点灯モードを備えても良い。この連続点灯モードは、前記モード切り換えスイッチ17を押すことによって切り換えることができる。連続点灯モードに切り換えると、前記発光手段１２は連続的に点灯した状態となり、直線状の光を照射するようになる。したがって、ボールを打ちたい方向、例えばパッティングの練習におけるホールの方向に、前記直線状の光を照射させるようにリズム発光装置をセットすることより、直線状に照射される光のラインに沿ってパッティングするという練習をすることができる。
このように、本発明に係るリズム発光装置によれば、種々の形態の練習をすることができるのである。
【符号の説明】
【００２２】
１  リズム発光装置
11  リズム発生手段
12  発光手段
13  電源手段
14  ケース
141  スタンド
142  本体
15  照射窓
151  方向性照射手段、反射体
152  高輝度発光ダイオード
16  テンポ調整手段、拍子設定手段、アップダウンスイッチ
17  モード切り換えスイッチ
１Ｂ  リズム発光装置
２３  振動発生手段
【図１】
2011021982.tif 000003
【図２】
2011021982.tif 000004
【図３】
2011021982.tif 000005
【図４】
2011021982.tif 000006
【図５】
2011021982.tif 000007